(57)【要約】【課題】デマンド制御に関する情報の把握を容易にする。【解決手段】集中管理コントローラ４０は、記憶部４４と、画面生成部５４と、タッチパネル４３とを備える。記憶部４４は、対象空間の見取り図データベース４７と、対象空間内における室内ユニット２０ａ〜２０ｃの位置情報データベース４８と、を記憶している。画面生成部５４は、位置情報データベース４８に基づいて、室内ユニット２０ａ〜２０ｃを示すアイコンを機器用アイコンｉｃ１〜ｉｃ３として見取り図Ｌ１に配置することで、対象空間の空間レイアウト画面ｓｃ１を生成する。タッチパネル４３は、デマンド制御関連情報４５ａを、空間レイアウト画面ｓｃ１に合成して表示する。デマンド制御関連情報４５ａとは、デマンド制御が室内ユニット２０ａ〜２０ｃに対して行われているか否かを少なくとも示す情報である。デマンド制御は、室内ユニット２０ａ〜２０ｃの消費電力を抑制する制御である。【選択図】図１３
2014199148.tif 000002
【特許請求の範囲】
【請求項１】
対象空間の見取り図（Ｌ１）の情報（４７）と、前記対象空間内における設備機器（２０ａ〜２０ｃ）の位置情報（４８）と、を記憶している記憶部（４４）と、
前記位置情報に基づいて、前記設備機器を示すアイコンを機器用アイコン（ｉｃ１〜ｉｃ３）として前記見取り図に配置することで、前記対象空間の空間レイアウト画面（ｓｃ１）を生成する画面生成部（５４）と、
前記設備機器の消費電力を抑制する制御であるデマンド制御が前記設備機器に対して行われているか否かを少なくとも示すデマンド制御関連情報（４５ａ）を、前記空間レイアウト画面に合成して表示する表示部（４３）と、
を備える、
表示装置（４０）。
【請求項２】
前記表示部は、
前記デマンド制御関連情報と前記空間レイアウト画面との合成画面（ｓｃ２，ｓｃ４）を表示する第１表示領域（ｒｅ１）と、前記第１表示領域とは別の領域であって前記設備機器に関する情報を表示可能な第２表示領域（ｒｅ２）とを有しており、
前記設備機器に対して前記デマンド制御が開始された際、前記第２表示領域に、前記デマンド制御が開始されたことを表すデマンド制御開始アイコン（ｐ４）を表示する、
請求項１に記載の表示装置（４０）。
【請求項３】
前記第１表示領域（ｒｅ１）に、任意の前記対象空間の前記合成画面（ｓｃ４）が表示されている場合、
前記第２表示領域（ｒｅ２）には、前記第１表示領域に現在表示されている前記合成画面が示す任意の前記対象空間以外に設置された他の前記設備機器に対して前記デマンド制御が開始された際には、その旨を示す前記デマンド制御開始アイコン（ｐ４）が表示される、
請求項２に記載の表示装置（４０）。
【請求項４】
前記第１表示領域（ｒｅ１）には、前記設備機器が自動制御されるための設定画面（ｓｃ５）が、前記合成画面（ｓｃ２，ｓｃ４）に代えて表示されることが可能であって、
前記第１表示領域（ｒｅ１）に表示される画面の種類に関係なく、前記第２表示領域（ｒｅ２）には、前記デマンド制御開始アイコン（ｐ４）が常に表示可能となっている、
請求項２または３に記載の表示装置（４０）。
【請求項５】
前記設備機器は、空調機であって、
前記デマンド制御関連情報には、前記デマンド制御中であるか否かを示すオン／オフ情報と、前記デマンド制御中における前記空調機の設定温度の情報と、が含まれている、
請求項１から４のいずれか１項に記載の表示装置（４０）。
【請求項６】
前記オン／オフ情報は、前記デマンド制御中であることを示すデマンドオンアイコン（ｐ１）にて構成されており、
前記デマンドオンアイコンは、前記機器用アイコンの少なくとも一部分に重ねて表示され、
前記空調機の設定温度の情報は、前記機器用アイコン付近に配置される、
請求項５に記載の表示装置（４０）。
【請求項７】
通信ネットワーク（８０）を介して外部端末（９０ａ，９０ｂ）と通信可能に接続された通信インターフェース（４２）、
を更に備え、
前記通信インターフェースは、前記デマンド制御関連情報と前記空間レイアウト画面との合成画面（ｓｃ２）のデータを、前記外部端末に送信可能である、
請求項１から６のいずれか１項に記載の表示装置（４０）。
【発明の詳細な説明】
【技術分野】
【０００１】
本発明は、表示装置に関する。
【背景技術】
【０００２】
ビルなどの建物内には、室内ユニット及び換気装置を含む様々な設備機器が設置されている。設備機器は、建物内の対象空間の環境を快適に保つために設けられている。様々な設備機器は、配管及びネットワークによって接続されており、これによってシステムが構築されている。
【０００３】
なお、上記システムに関連する技術としては、例えば特許文献１（国際公開番号ＷＯ２０１０／１４８６４０）に開示されている技術が挙げられる。特許文献１では、システムの不具合を判断する装置が記載されている。具体的には、当該装置の表示部上に、システム系統図が表示され、更には判断したシステムの不具合の結果が表示される。
【発明の概要】
【発明が解決しようとする課題】
【０００４】
ところで、建物内に設置された設備機器は、電力の供給を受けて、対象空間の環境を整える運転を行う。故に、設備機器は、電力の消費源となり得る。
【０００５】
しかし、近年、設備機器を含む様々な機器の消費電力の合計値をなるべく抑えようとする動きが高まりつつある。一般的に、消費電力の合計値が大きい程、契約している電力会社に支払うべき基本料金が上がるためである。
【０００６】
これに対し、設備機器の消費電力を抑えるデマンド制御が、個々の設備機器に対して行われる場合がある。デマンド制御においては、当該デマンド制御に関する情報を例えば設備機器の管理者が把握することで、より効率的に実施されることができる。しかしながら、現在、デマンド制御に関する情報を容易に把握することができる手段は、存在していない。
【０００７】
そこで、本発明の課題は、デマンド制御に関する情報の把握を容易にすることにある。
【課題を解決するための手段】
【０００８】
本発明の第１観点に係る表示装置は、記憶部と、画面生成部と、表示部とを備える。記憶部は、対象空間の見取り図の情報と、対象空間内における設備機器の位置情報と、を記憶している。画面生成部は、位置情報に基づいて、設備機器を示すアイコンを機器用アイコンとして見取り図に配置することで、対象空間の空間レイアウト画面を生成する。表示部は、デマンド制御関連情報を、空間レイアウト画面に合成して表示する。デマンド制御関連情報とは、デマンド制御が設備機器に対して行われているか否かを少なくとも示す情報である。デマンド制御は、設備機器の消費電力を抑制する制御である。
【０００９】
この表示装置では、先ずは対象空間内の空間レイアウト画面が生成され、その空間レイアウト画面上に、設備機器に対してデマンド制御が行われているか否かを示すデマンド制御関連情報が合成される。この合成画面が表示装置の表示部に表示されることにより、当該表示装置の利用者は、どの設備機器においてデマンド制御が行われているのかを、デマンド制御関連情報及び空間レイアウト画面の合成画面から容易に把握することができる。
【００１０】
本発明の第２観点に係る表示装置は、第１観点に係る表示装置において、表示部は、第１表示領域と、第２表示領域とを有する。第１表示領域は、デマンド制御関連情報と空間レイアウト画面との合成画面を表示する領域である。第２表示領域は、第１表示領域とは別の領域であって、設備機器に関する情報を表示可能な領域である。表示部は、設備機器に対してデマンド制御が開始された際、第２表示領域に、デマンド制御開始アイコンを表示する。デマンド制御開始アイコンとは、デマンド制御が開始されたことを表すアイコンである。
【００１１】
この表示装置では、設備機器のデマンド制御が開始された場合、デマンド制御関連情報と空間レイアウト画面との合成画面が表示される第１表示領域とは別の第２表示領域に、デマンド制御が開始されたことを示すデマンド制御開始アイコンが表示される。これにより、仮に、デマンド制御が開始された設備機器に対応する機器用アイコンを含む合成画面が第１表示領域に表示されていないとしても、表示装置の利用者は、第２表示領域に表示されたデマンド制御開始アイコンから、設備機器においてデマンド制御が開始されたことを把握することができる。
【００１２】
本発明の第３観点に係る表示装置は、第２観点に係る表示装置において、第１表示領域に、任意の対象空間の合成画面が表示されているとする。この場合、第２表示領域には、第１表示領域に現在表示されている合成画面が示す任意の対象空間以外に設置された他の設備機器に対してデマンド制御が開始された際には、その旨を示すデマンド制御開始アイコンが表示される。
【００１３】
ここでは、第１表示領域に現在表示されている合成画面が示す対象空間内には設置されていない他の設備機器にて、デマンド制御が開始された場合、その旨がデマンド制御開始アイコンとして第２表示領域に表示される。これにより、表示装置の利用者は、第１表示領域に現在表示中の対象空間以外の空間における設備機器のデマンド制御状態をも、第２表示領域から把握することができる。即ち、表示装置の利用者は、第１表示領域に表示させる合成画面を頻繁に変化させることで、全ての設備機器のデマンド制御の状況を監視せずとも良く、第２表示領域にデマンド制御開始アイコンが表示されるか否かさえを監視すればよい。従って、表示装置の利用者の利便性が向上する。
【００１４】
本発明の第４観点に係る表示装置は、第２観点または第３観点に係る表示装置において、第１表示領域には、設備機器が自動制御されるための設定画面が、合成画面に代えて表示されることが可能である。そして、第１表示領域に表示される画面の種類に関係なく、第２表示領域には、デマンド制御開始アイコンが常に表示可能となっている。
【００１５】
ここでは、第１表示領域に表示される画面としては、デマンド制御関連情報と空間レイアウト画面との合成画面だけではなく、設備機器が自動制御されるための設定画面も挙げられる。一方で、第１表示領域にどのような画面が表示されようとも、任意の設備機器に対してデマンド制御が開始されれば、第２表示領域には、デマンド制御開始アイコンが表示される。従って、表示装置の利用者は、例えば設定画面を介して設備機器の自動制御の設定作業を行っている時であっても、デマンド制御が開始された設備機器の存在を、第２表示領域から把握することができる。
【００１６】
本発明の第５観点に係る表示装置は、第１観点から第４観点に係る表示装置において、設備機器は、空調機である。デマンド制御関連情報には、デマンド制御中であるか否かを示すオン／オフ情報と、デマンド制御中における空調機の設定温度の情報と、が含まれている。
【００１７】
これにより、表示装置の利用者は、合成画面上のデマンド制御関連情報から、設備機器である空調機がデマンド制御中か否かと、その空調機の設定温度がデマンド制御によって変更されているのか否かとを、把握することができる。
【００１８】
本発明の第６観点に係る表示装置は、第５観点に係る表示装置において、オン／オフ情報は、デマンド制御中であることを示すデマンドオンアイコンにて構成されている。デマンドオンアイコンは、機器用アイコンの少なくとも一部分に重ねて表示される。空調機の設定温度の情報は、機器用アイコン付近に配置される。
【００１９】
これにより、表示装置の利用者は、機器用アイコンを視覚的に確認することによって、デマンドオンアイコン及び設定温度の情報も、視覚的に確認することができる。従って、表示装置の利用者は、どの設備機器においてデマンド制御が行われているのかを、デマンド制御関連情報及び空間レイアウト画面の合成画面上から、一目で把握することができる。
【００２０】
本発明の第７観点に係る表示装置は、第１観点から第６観点のいずれかに係る表示装置において、通信インターフェースを更に備える。通信インターフェースは、通信ネットワークを介して外部端末と通信可能に接続されている。通信インターフェースは、デマンド制御関連情報と空間レイアウト画面との合成画面のデータを、外部端末に送信可能である。
【００２１】
これにより、外部端末の利用者は、外部端末を用いて表示装置にアクセスすることで、デマンド制御関連情報及び空間レイアウト画面の合成画面を外部端末から確認することができる。従って、ユーザは、どの設備機器においてデマンド制御が行われているのかを、表示装置ではなく外部端末からも容易に把握することができる。
【発明の効果】
【００２２】
本発明の第１観点に係る表示装置によると、表示装置の利用者は、どの設備機器においてデマンド制御が行われているのかを、デマンド制御関連情報及び空間レイアウト画面の合成画面上から容易に把握することができる。
【００２３】
本発明の第２観点に係る表示装置によると、仮に、デマンド制御が開始された設備機器に対応する機器用アイコンを含む合成画面が第１表示領域に表示されていないとしても、表示装置の利用者は、第２表示領域に表示されたデマンド制御開始アイコンから、設備機器においてデマンド制御が開始されたことを把握することができる。
【００２４】
本発明の第３観点に係る表示装置によると、表示装置の利用者は、第１表示領域に現在表示中の対象空間以外の空間における設備機器のデマンド制御状態をも、第２表示領域から把握することができる。従って、表示装置の利用者の利便性が向上する。
【００２５】
本発明の第４観点に係る表示装置によると、表示装置の利用者は、例えば設定画面を介して設備機器の自動制御の設定作業を行っている時であっても、デマンド制御が開始された設備機器の存在を、第２表示領域から把握することができる。
【００２６】
本発明の第５観点に係る表示装置によると、表示装置の利用者は、合成画面上のデマンド制御関連情報から、設備機器である空調機がデマンド制御中か否かと、その空調機の設定温度がデマンド制御によって変更されているのか否かとを、把握することができる。
【００２７】
本発明の第６観点に係る表示装置によると、表示装置の利用者は、どの設備機器においてデマンド制御が行われているのかを、デマンド制御関連情報及び空間レイアウト画面の合成画面上から、一目で把握することができる。
【００２８】
本発明の第７観点に係る表示装置によると、ユーザは、どの設備機器においてデマンド制御が行われているのかを、表示装置ではなく外部端末からも容易に把握することができる。
【図面の簡単な説明】
【００２９】
【図１】本発明の一実施形態に係る表示装置が採用された集中管理コントローラ４０と、設備機器である室内ユニット２０ａ〜２０ｃとを備えた空調管理システム１００の構成概略図。
【図２】室内ユニット２０ａ〜２０ｃ及び室外ユニット３０の接続状態を、図１に比して詳細に示す図。
【図３】室内ユニット２０ａ〜２０ｃ及び室外ユニット３０の構成を模試的に示す図。
【図４】本実施形態に係る集中管理コントローラ４０の構成を模試的に示す図。
【図５】機器データベース４５の概念図。
【図６】デマンド制御データベース４６の概念図。
【図７】見取り図データベース４７の概念図。
【図８】位置情報データベース４８の概念図。
【図９】表示パーツデータベース４９の概念図。
【図１０】デマンド制御が行われない場合における、個々の室内ユニット２０ａ〜２０ｃの消費電力の経時的変化を表すグラフ。
【図１１】デマンド制御が行われる場合おける、個々の室内ユニット２０ａ〜２０ｃの消費電力の経時的変化を表すグラフ。
【図１２】画面生成部５４によって生成される空間レイアウト画面ｓｃ１のイメージ図。
【図１３】空間レイアウト画面ｓｃ１とデマンド制御関連情報４５ａとが合成された合成画面ｓｃ２のイメージ図。
【図１４】図１３における合成画面ｓｃ２上から操作ウィンドウバーｂ１が選択された場合に、新たに表示される小画面ｓｃ３のイメージ図。
【図１５】第２表示領域ｒｅ２にデマンド制御開始アイコンｐ４が表示された場合の、タッチパネル４３の表示画面イメージ図。
【図１６】図１６において、更にメッセージウィンドウｐ５がポップアップ表示された場合の、タッチパネル４３の表示画面イメージ図。
【図１７】第１表示領域ｒｅ１に自動制御機能の設定画面ｓｃ５が表示されると共に、第２表示領域ｒｅ２にデマンド制御開始アイコンｐ４が表示された場合の、タッチパネル４３の表示画面イメージ図。
【図１８】本実施形態に係る集中管理コントローラ４０と室内ユニット２０ａ〜２０ｃとの間で行われる主な動作の流れを説明するための図。
【図１９】集中管理コントローラ４０ではなく、外部端末９０ａ，９０ｂに合成画面ｓｃ２及びデマンド制御開始アイコンｐ４が表示される場合の、集中管理コントローラ４０と外部端末９０ａ，９０ｂとの間で行われる主な動作の流れを説明するための図。
【図２０】変形例Ｂに係るトレンドグラフ。
【発明を実施するための形態】
【００３０】
以下、本発明に係る表示装置について、図面を参照しつつ詳述する。なお、以下の実施形態は、本発明の具体例であって、本発明の技術的範囲を限定するものではない。
【００３１】
（１）概要
図１は、空調管理システム１００の構成を概略的に示す図である。空調管理コントローラ１００は、本発明の一実施形態に係る表示装置が採用された集中管理コントローラ４０を備えている。即ち、空調管理コントローラ１００は、建物ＲＡ内に設置された空調設備１０の複数の室内ユニット２０ａ，２０ｂ，２０ｃ，・・・（設備機器、具体的には空調機に相当）を、集中管理コントローラ４０によって統括して制御及び管理するためのシステムである。図１に示すように、空調管理システム１００は、１台の集中管理コントローラ４０の他に、主として空調設備１０及び外部端末９０ａ，９０ｂを備える。
【００３２】
建物ＲＡは、例えば多階層を有する１つのビルであることができる。建物ＲＡには、その内部にいる人の快適性を維持するために、空調設備１０が配備されている。空調設備１０は、設置された空間を対象空間として、該空間の空調を行う。
【００３３】
本実施形態に係る空調設備１０は、複数の室内ユニット２０ａ〜２０ｃより構成される室内ユニット群１５と、当該ユニット群１５に接続された室外ユニット３０とを有する所謂マルチタイプの空調機であって、暖房運転及び冷房運転等を行うことができる。複数の室内ユニット２０ａ〜２０ｃは、建物ＲＡ内の室内の天井や壁面等のあらゆる箇所に点在している。複数の室内ユニット２０ａ〜２０ｃは、空調管理システム１００による管理上、仮想的にまとめられ、室内ユニット群１５を構成している。特に、個々の室内ユニット２０ａ〜２０ｃには、識別番号が割り当てられている。室外ユニット３０は、建物ＲＡの近傍または屋上に設置されている。
【００３４】
なお、図１では、室外ユニット３０が１台のみの場合を表している。しかし、室外ユニット３０の台数は、１台ではなく、複数台であってもよい。
【００３５】
集中管理コントローラ４０は、建物ＲＡ内の管理室に設置され、専用制御線１７ａにより室外ユニット３０を介して建物ＲＡ内の複数の室内ユニット２０ａ〜２０ｃと接続されている。更に、集中管理コントローラ４０は、専用制御線１７ｂにより、インターネット等である通信ネットワーク８０を介して外部端末９０ａ，９０ｂ，・・・とも接続されている。集中管理コントローラ４０は、外部端末９０ａ，９０ｂとの間でデータの送受信を行うことができる。
【００３６】
外部端末９０ａ，９０ｂは、建物ＲＡ外、つまりは建物ＲＡとは別の建物や場所に設置されている端末である。外部端末９０ａ，９０ｂそれぞれは、主として、表示部９１ａ，９１ｂと入力部９２ａ，９２ｂとを有している。表示部９１ａ，９１ｂは、集中管理コントローラ４０との間で送受信されたデータを表示することができ、入力部９２ａ，９２ｂは、外部端末９０ａ，９０ｂの利用者による操作を受け付ける。このような外部端末９０ａ，９０ｂには、予めウェブブラウザがインストールされている。外部端末９０ａ，９０ｂの利用者は、ウェブブラウザを通じて表示部９１ａ，９１ｂ上に表示された各種画面上から、集中管理コントローラ４０を遠隔操作することが可能となっている。
【００３７】
なお、図示はしていないが、集中管理コントローラ４０は、空調設備１０の管理とは直接的には関係しない、建物ＲＡ内の利用者が通常業務のために利用するパーソナルコンピュータやプリンタ等の各種ネットワーク機器が、更に接続されていてもよい。
【００３８】
（２）空調設備の構成
ここで、空調設備１０が有する室内ユニット２０ａ〜２０ｃ及び室外ユニット３０それぞれの構成について、図２及び図３を用いて説明する。
【００３９】
なお、図示はしていないが、室内ユニット２０ａ〜２０ｃ及び室外ユニット３０同士は、内部を冷媒が循環する冷媒配管によって接続されており、これによって冷媒回路が構成されている。
【００４０】
（２−１）室内ユニット
室内ユニット２０ａ〜２０ｃは、互いに設置位置が異なるものの、構成は全て同じである。室内ユニット２０ａ〜２０ｃは、主として、送受信部２１、室内ファン２２、室内温度サーミスタ２３、室内湿度センサ２４及び室内制御部２５を有する。
【００４１】
送受信部２１は、対応する個別リモートコントローラ２８ａ〜２８ｃと接続されている。送受信部２１は、接続された個別リモートコントローラ２８ａ〜２８ｃを介して利用者からの運転指令を受信する。送受信部２１は、実際に室内ユニット２０ａ〜２０ｃが運転している内容、風向き、風量、室内温度サーミスタ２３及び室内湿度センサ２４の検知結果等を、個別リモートコントローラ２８ａ〜２８ｃに送信する。
【００４２】
なお、個別リモートコントローラ２８ａ〜２８ｃは、集中管理コントローラ４０とは異なり、主として一般の利用者からの室内ユニット２０ａ〜２０ｃに対する運転指令を受け付けるためのものである。運転指令の種類としては、例えば、室内ユニット２０ａ〜２０ｃの起動または停止、室内ユニット２０ａの設定温度の変更等が挙げられる。但し、室内ユニット２０ａ〜２０ｃの設定温度が個別リモートコントローラ２８ａ〜２８ｃを介して変更される場合とは、集中管理コントローラ４０側において、個別リモートコントローラ２８ａ〜２８ｃ側での設定温度の変更許可がなされた場合に限られても良い。ここで、図２では、個別リモートコントローラ２８ａ〜２８ｃは、室内ユニット２０ａ〜２０ｃに１対１で直接的に接続されている。
【００４３】
室内ファン２２は、建物ＲＡ内の設置位置付近（即ち、対象空間）に空気を供給する遠心送風機である。室内ファン２２は、図示していない室内ファンモータを駆動源として駆動することができる。室内ファンモータは、室内制御部２５にも接続されており、室内制御部２５によって回転数制御が行われる。室内ファンモータの回転数制御が行われることにより、室内ファン２２の回転数が変化し、これにより対象空間内に供給する空気量（即ち、風量）が調節されることとなる。
【００４４】
室内温度サーミスタ２３は、対象空間内の温度を検知する。室内湿度センサ２４は、対象空間内の湿度を検知する。室内温度サーミスタ２３の検知結果及び室内湿度センサ２４の検知結果は、対象空間内の快適性の把握のために、個別リモートコントローラ２８ａ〜２８ｃや集中管理コントローラ４０に表示されたり、更なる運転制御のために用いられたりする。
【００４５】
室内制御部２５は、ＣＰＵやメモリ、ＡＳＩＣ等の各種電気部品がプリント基板に実装されることで構成されている。室内制御部２５は、図３に示すように、室内ユニット２０ａ〜２０ｃの各種構成機器と接続されていると共に、図２及び図３に示すように、専用制御線１７ａを介して室外ユニット３０の室外制御部３６とも接続されている。このような室内制御部２５は、室内ユニット２０ａ〜２０ｃの各種構成機器を制御する。例えば、室内制御部２５は、室内ファンモータの回転数制御を行うことで、対象空間内への風量を制御する。また、室内制御部２５は、個別リモートコントローラ２８ａ〜２８ｃまたは集中管理コントローラ４０を介してなされた様々な指示に基づいて、各種構成機器の制御を行う。
【００４６】
その他、図示はしていないが、室内ユニット２０ａ〜２０ｃは、室内熱交換器及びフラップ等も有している。
【００４７】
室内熱交換器は、複数の伝熱フィンと、当該フィンに挿入された複数の伝熱管とによって構成されている。室内熱交換器は、室内ユニット内部に吸い込まれた室内の空気と伝熱管を流れる冷媒との間で、熱交換を行う。具体的に、室内熱交換器は、冷房運転時には、冷媒の蒸発器として機能し、暖房運転時には、冷媒の放熱器として機能する。
【００４８】
フラップは、室内ユニットの吹き出し口に付近に設けられている。フラップは、吹き出し口から吹出される熱交換後の空気の風向を調節するためのものであって、図示してはいないが、フラップモータを駆動源として風向調整を行うことができる。
【００４９】
（２−２）室外ユニット
図２及び図３に示すように、室外ユニット３０は、主として、圧縮機３１、四路切換弁３２、膨張弁３３、室外ファン３４、室外温度サーミスタ３５及び室外制御部３６を有する。
【００５０】
圧縮機３１は、冷媒回路内を循環する冷媒を圧縮するためのものである。圧縮機３１としては、ケーシング（図示せず）内に収容されたロータリ式やスクロール式等の容積式の圧縮要素（図示せず）が、同じくケーシング内に収容された圧縮機用モータ（図示せず）を駆動源として駆動される密閉式圧縮機が採用されている。これにより、圧縮機３１の容量が可変される。
【００５１】
四路切換弁３２は、冷媒運転と暖房運転との切換時に、冷媒回路内を循環する冷媒の流れを切換えるためのものである。つまり、四路切換弁３２の採り得る接続状態は、室内ユニット２０ａ〜２０ｃの運転種類に応じて変化する。
【００５２】
膨張弁３３は、冷媒回路内を循環する冷媒の圧力を減圧するためのものである。膨張弁３３は、電動膨張弁で構成されている。
【００５３】
室外ファン３４は、建物ＲＡ外部の空気を室外ユニット３０内に吸入しつつ、室外熱交換器（図示せず）によって熱交換された後の空気を室外ユニット３０の外部に排出する空気流を形成するためのものである。室外ファン３４は、例えばプロペラファンによって構成されており、室外ファンモータ（図示せず）を駆動源として回転駆動される。
【００５４】
室外温度サーミスタ３５は、建物ＲＡ外部の空気の温度を検知する。室外温度サーミスタ３５の検知結果は、主として、室外ユニット３０の運転制御のために用いられる。
【００５５】
室外制御部３６は、室内制御部２５と同様、ＣＰＵやメモリ、ＡＳＩＣ等の各種電気部品がプリント基板に実装されることで構成されている。室外制御部３６は、図３に示すように、室外ユニット３０の各種構成機器と接続されていると共に、図２及び図３に示すように、専用制御線１７ａを介して室内ユニット２０ａ〜２０ｃそれぞれの室内制御部２５とも接続されている。このような室外制御部３６は、室外ユニット３０の各種構成機器を制御する。例えば、室外制御部３６は、圧縮機３１の容量制御、室外ファンモータの回転数制御、四路切換弁３２の状態切換制御、膨張弁３３の開度制御を行う。また、室外制御部３６は、個別リモートコントローラ２８ａ〜２８ｃまたは集中管理コントローラ４０を介してなされた様々な指示に基づいて、各種構成機器の制御を行う。
【００５６】
その他、図示はしていないが、室外ユニット３０は、室内熱交換器も有している。室外熱交換器は、室内熱交換器と同様、複数の伝熱フィンと、当該フィンに挿入された複数の伝熱管とによって構成されている。室外熱交換器は、室外ユニット内部に吸い込まれた建物ＲＡ外の空気と伝熱管を流れる冷媒との間で、熱交換を行う。具体的に、室外熱交換器は、冷房運転時には、冷媒の放熱器として機能し、暖房運転時には、冷媒の蒸発器として機能する。
【００５７】
（３）集中管理コントローラの構成
以下、図４を用いて、集中管理コントローラ４０の構成について説明する。
【００５８】
集中管理コントローラ４０は、建物ＲＡ内の管理室に所属する管理者によって操作される。集中管理コントローラ４０は、主として、空調側通信部４１、ネットワーク側通信部４２（通信インターフェースに相当）、タッチパネル４３（表示部に相当）、記憶部４４及び制御部５０を備える。
【００５９】
（３−１）空調側通信部及びネットワーク側通信部
空調側通信部４１は、専用制御線１７ａを介して空調設備１０とデータの送受信を行う。即ち、空調側通信部４１は、集中管理コントローラ４０を空調設備１０用のネットワークに接続するネットワークインターフェースと言える。
【００６０】
空調側通信部４１が受信するデータとしては、室外ユニット３０側や各室内ユニット２０ａ〜２０ｃ側の機器データなどが挙げられる。具体的に、室外ユニット３０側の機器データとしては、現時点における圧縮機３１の容量や、室外温度サーミスタ３５の検知結果、現時点における室外ユニット３０の運転状態等が挙げられる。各室内ユニット２０ａ〜２０ｃ側の機器データとしては、各室内ユニット２０ａ〜２０ｃの設定温度、冷房運転及び暖房運転を含む運転の種類、運転中であるか否かを示す運転状態、風量、室内温度サーミスタ２３の検知結果、室内湿度センサ２４の検知結果、消費電力等が挙げられる。
【００６１】
空調側通信部４１が送信するデータには、室外ユニット３０及び各室内ユニット２０ａ〜２０ｃへの各種運転指示、各室内ユニット２０ａ〜２０ｃに対するデマンド制御に基づく制御指令、室内ユニット２０ａ〜２０ｃに対する個別リモートコントローラ２８ａ〜２８ｃからの各種指示の受付許可、等が挙げられる。
【００６２】
ネットワーク側通信部４２は、専用制御線１７ｂ及び通信ネットワーク８０を介して外部端末９０ａ，９０ｂとのデータの送受信を行う。即ち、ネットワーク側通信部４２は、集中管理コントローラ４０をインターネット等である通信ネットワーク８０に接続するネットワークインターフェースと言える。
【００６３】
ネットワーク側通信部４２が受信するデータには、室外ユニット３０及び各室内ユニット２０ａ〜２０ｃへの各種運転指示、各室内ユニット２０ａ〜２０ｃに対するデマンド制御に基づく制御指令の他、画面データの送信要求が挙げられる。つまり、ネットワーク側通信部４２は、集中管理コントローラ４０が外部端末９０ａ，９０ｂから遠隔操作される際に、外部端末９０ａ，９０ｂから上述したデータを受信する。従って、画面データの送信要求とは、集中管理コントローラ４０のタッチパネル４３に表示される画面を、外部端末９０ａ，９０ｂの表示部９１ａ，９１ｂ上にも表示させるための要求であると言える。
【００６４】
ネットワーク側通信部４２が送信するデータには、室外ユニット３０側や各室内ユニット２０ａ〜２０ｃ側の機器データの他、画面データの送信要求に基づく画面データが挙げられる。つまり、外部端末９０ａ，９０ｂは、画面データを受信すると、当該画面データに応じた画面を、ウェブブラウザを用いて自端末９０ａ，９０ｂの表示部９１ａ，９１ｂ上に表示させることができる。
【００６５】
（３−２）タッチパネル
タッチパネル４３は、液晶ディスプレイやマトリクススイッチ等で構成されている。タッチパネル４３は、空調設備１０（特に室内ユニット２０ａ〜２０ｃ）の管理及び制御に基づく様々な画面をカラー表示することができる。更に、集中管理コントローラ４０を使用する管理者は、タッチパネル４３に直接触れることで、特に室内ユニット２０ａ〜２０ｃの管理及び制御に関する詳細画面に表示を切換えたり、集中管理コントローラ４０が有する機能から所望の機能の実行を選択したりすることができる。
【００６６】
なお、タッチパネル４３が表示する画面については、「（３−４−４）画面生成部）」にて詳述する。
【００６７】
（３−３）記憶部
記憶部４４は、例えばフラッシュメモリ等の半導体メモリによって構成されている。記憶部４４は、複数の記憶領域を有しており、各記憶領域には、集中管理コントローラ４０が空調設備１０（特に室内ユニット２０ａ〜２０ｃ）の管理及び制御を行うために必要なデータや、タッチパネル４３に表示される各種画面を生成する際に必要なデータ等が記憶されている。
【００６８】
特に、本実施形態に係る記憶部４４は、図４に示すように、主として、機器データベース４５、デマンド制御データベース４６、見取り図データベース４７（見取り図の情報に相当）、位置情報データベース４８（設備機器の位置情報に相当）、及び表示パーツデータベース４９を記憶している。
【００６９】
（３−３−１）機器データベース
機器データベース４５には、空調設備１０に関する機器データ、具体的には室外ユニット３０側の機器データ及び各室内ユニット２０ａ〜２０ｃ側の機器データが蓄積されている。図５は、機器データベース４５の概念の一例を示している。
【００７０】
図５の機器データベース４５では、各室内ユニット２０ａ〜２０ｃの機器データが、各室内ユニット２０ａ〜２０ｃの「識別番号」「名称」「時刻」「室内温度」「湿度」「風量」「運転状態」「運転の種類」「消費電力」「設定温度」「デマンド制御ｏｎ／ｏｆｆ（オン／オフ情報に相当）」フィールドを有する表形式のデータベースとして表されている。図５の機器データベース４５では、１台の室内ユニット２０ａ〜２０ｃに対して１つのレコードが対応している。１つのレコードは、任意の時刻（具体的には、「時刻」フィールドに格納された時刻）における１台の室内ユニット２０ａ〜２０ｃに関する機器データを記憶している。
【００７１】
「識別番号」フィールドには、室内ユニット２０ａ〜２０ｃそれぞれを識別するための識別番号が格納され、「名称」フィールドには、室内ユニット２０ａ〜２０ｃの名称が格納される。なお、「識別番号」「名称」フィールドには、集中管理コントローラ４０の登録時に適当な値が格納される。故に、「識別番号」「名称」フィールドに格納された情報は、機器データベース４５内の他のフィールドの情報が更新されたとしても、固定されたままである。
【００７２】
他のフィールドである「室内温度」「湿度」「風量」「運転状態」「運転の種類」「消費電力」「設定温度」「デマンド制御ｏｎ／ｏｆｆ」は、「時刻」フィールドに記された時刻に、集中管理コントローラ４０によって受信された機器データに基づいて更新される。具体的に、機器データベース４５内の各レコードは、制御部５０のデータ収集部５１（後述）によって、所定の時間間隔で各室内ユニット２０ａ〜２０ｃから収集され、更新される。即ち、空調側通信部４１は、所定の時間間隔毎に、各室内ユニット２０ａ〜２０ｃから機器データを受信する。受信された機器データは、機器データベース４５内の、対応する「識別番号」のレコード上の各フィールド「室内温度」「湿度」「風量」「運転状態」「運転の種類」「消費電力」「設定温度」「デマンド制御ｏｎ／ｏｆｆ」に格納される。
【００７３】
故に、「室内温度」「湿度」「風量」「運転状態」「運転の種類」「消費電力」「設定温度」「デマンド制御ｏｎ／ｏｆｆ」の各フィールドには、「時刻」フィールドに記された時刻における各対象空間の温度、各対象空間の湿度、各室内ユニット２０ａ〜２０ｃの風量の大きさ、各室内ユニット２０ａ〜２０ｃが運転中か否かの情報、各室内ユニット２０ａ〜２０ｃが冷房運転または暖房運転を行っている情報、各室内ユニット２０ａ〜２０ｃの消費電力の値、各室内ユニット２０ａ〜２０ｃの設定温度、各室内ユニット２０ａ〜２０ｃに対してデマンド制御（後述）が行われているか否かの情報が、それぞれ格納される。
【００７４】
特に、本実施形態においては、説明の便宜上、デマンド制御中であるか否かを示す「デマンド制御ｏｎ／ｏｆｆ」フィールド上の情報（即ち、オン／オフ情報）、及び、デマンド制御中における各室内ユニット２０ａ〜２０ｃの設定温度を示す「設定温度」フィールド上の情報を、“デマンド制御関連情報４５ａ”と呼称する。
【００７５】
（３−３−２）デマンド制御データベース
デマンド制御データベース４６は、制御部５０のデマンド制御部５３（後述）が各室内ユニット２０ａ〜２０ｃに対してデマンド制御を行う際に用いられるデータベースである。図６は、デマンド制御データベース４６の概念の一例を示している。
【００７６】
ここで、デマンド制御について簡単に説明する。デマンド制御とは、空調設備１０（特に、室内ユニット２０ａ〜２０ｃ）が消費する消費電力を抑制する制御である。具体的に、デマンド制御とは、各室内ユニット２０ａ〜２０ｃそれぞれの最大需要電力を抑えることで、電力会社と電力を契約している者（例えば、建物ＲＡの管理者）が、当該電力会社と契約している基本電力料金の低減を支援するための制御と言える。最大需用電力とは、各室内ユニット２０ａ〜２０ｃが消費する３０分後毎の平均消費電力のうち、月間で最も大きい値を言う。なお、デマンド制御の動作については、「（３−４−３）デマンド制御部」で詳述する。
【００７７】
図６のデマンド制御データベース４６は、個々の室内ユニット２０ａ〜２０ｃの消費電力の「抑制レベル」フィールドと、各抑制レベルに対応する「制御内容」フィールドとを有する表形式のデータベースである。「抑制レベル」フィールドには、個々の室内ユニット２０ａ〜２０ｃの消費電力を抑制する程度が、レベル１からレベル８までの８段階にて段階的に示されている。「制御内容」フィールドには、個々の室内ユニット２０ａ〜２０ｃの設定温度の変更度合いが、各抑制レベルに応じて示されている。具体的に、「制御内容」フィールドには、設定温度が１℃変更される内容や、７℃変更される内容、強制サーモオフされる内容等が、格納されている。
【００７８】
図６では、抑制レベルの段階が上がる程、室内ユニット２０ａ〜２０ｃの設定温度の変更度合いが大きくなっている。従って、「抑制レベル」フィールドが“レベル１”の場合よりも、「抑制レベル」フィールドが“レベル７”の場合の方が、対応する設定温度の変更度合いが大きい。更に、「抑制レベル」フィールドが“レベル８”の場合、対応する「制御内容」フィールドには、設定温度の変更ではなく、強制的にサーモオフする内容が格納されている。
【００７９】
例えば、室内ユニット２０ａが冷房運転を行っている場合に、「抑制レベル」フィールドが“レベル１”であれば、「制御内容」フィールドに格納されている内容に従って、室内ユニット２０ａの設定温度は、１℃上昇する。室内ユニット２０ａが暖房運転を行っている場合に、「抑制レベル」フィールドが“レベル１”であれば、「制御内容」フィールドに格納されている内容に従って、室内ユニット２０ａの設定温度は、１℃下降する。また、「抑制レベル」フィールドが“レベル８”であれば、室内ユニット２０ａの運転種類に関係なく、「制御内容」フィールドに格納されている内容に従って、強制サーモオフが実行される。強制サーモオフとは、室外ユニット３０の圧縮機３１が駆動停止となり、熱交換が停止される状態を言う。
【００８０】
（３−３−３）見取り図データベース
見取り図データベース４７は、対象空間の見取り図に関する情報であって、制御部５０の画面生成部５４（後述）が、タッチパネル４３に表示するべき画面を生成する際に用いられるデータベースである。図７に示すように、見取り図データベース４７は、複数の階層構造を有するデータベースである。
【００８１】
見取り図データベース４７内には、建物ＲＡに関する様々な見取り図Ｌ１が格納されている。より具体的には、見取り図Ｌ１には、建物ＲＡ全体の概略平面図Ｌ１１及び建物ＲＡを構成する単位空間の概略平面図Ｌ１２が含まれている。見取り図データベース４７には、これらの概略平面図Ｌ１１，Ｌ１２を含む見取り図Ｌ１が、建物ＲＡの現実の物理的な空間構造に対応するようにして、階層的に格納されている。つまり、見取り図データベース４７の階層構造上、最上位には、建物ＲＡの概略平面図Ｌ１１が位置づけられ、その１つ下には単位空間の概略平面図Ｌ１２が位置付けられている。
【００８２】
ここで、単位空間の概略平面図Ｌ１２とは、壁、柱、ドア、窓、階段、家具（例えば、机及び棚）等が図示された画像データである。単位空間の平面図を構成する各点には、二次元座標が割り当てられている。具体的に、単位空間とは、例えば部屋単位であったり、建物ＲＡのフロア単位であったりすることができる。
【００８３】
（３−３−４）位置情報データベース
位置情報データベース４８は、建物ＲＡ内における室内ユニット２０ａ〜２０ｃそれぞれの位置情報であって、見取り図データベース４７と同様、制御部５０の画面生成部５４（後述）が、タッチパネル４３に表示するべき画面を生成する際に用いられるデータベースである。図８では、位置情報データベース４８の概念の一例を示している。
【００８４】
図８の位置情報データベース４８は、各室内ユニット２０ａ〜２０ｃの「識別番号」「名称」「建物」「単位空間」「座標」フィールドを有する表形式のデータベースとして表されている。なお、図８の位置情報データベース４８では、１つの室内ユニット２０ａ〜２０ｃに対して１つのレコードが対応している。つまり、１つのレコードは、１つの室内ユニット２０ａ〜２０ｃの位置情報を記録するものである。
【００８５】
具体的に、「識別番号」フィールドには、室内ユニット２０ａ〜２０ｃそれぞれを識別するための識別番号が格納され、「名称」フィールドには、室内ユニット２０ａ〜２０ｃの名称が格納される。「建物」フィールドには、室内ユニット２０ａ〜２０ｃが設置されている建物ＲＡの名称が格納されている。「単位空間」フィールドには、１つの室内ユニット２０ａ〜２０ｃが設置されている単位空間の名称が格納されている。「座標」フィールドには、見取り図Ｌ１に割り当てられている二次元座標を基準とする座標情報が格納されている。
【００８６】
（３−３−５）表示パーツデータベース
表示パーツデータベース４９は、見取り図データベース４７及び位置情報データベース４８と同様、制御部５０の画面生成部５４（後述）が、タッチパネル４３に表示するべき画面を生成する際に用いられるデータベースである。図９では、表示パーツデータベース４９の概念の一例を示している。
【００８７】
図９の表示パーツデータベース４９は、「パーツ番号」「パーツ」「パーツ名称」「内容」「表示位置」フィールドを有する表形式のデータベースとして表されている。具体的に、「パーツ番号」フィールドには、各レコード上のパーツを識別するための番号が格納されている。「パーツ」フィールドには、タッチパネル４３の画面に実際に表示される絵柄が格納されている。「パーツ名称」フィールドには、「パーツ」フィールドに格納された絵柄の名称が格納されている。「内容」フィールドには、「パーツ」フィールドに格納された絵柄が表す内容が格納されている。「表示位置」フィールドには、「パーツ」フィールドに格納された絵柄が、画面上のどの部分に付加及び表示されるのかが格納されている。
【００８８】
即ち、各レコード上の「パーツ」フィールドに格納された絵柄は、「内容」フィールドの内容を表すアイコンとして、タッチパネル４３上に、且つ「表示位置」フィールドにて示された位置に、表示される。
【００８９】
具体的に、タッチパネル４３には、後でも述べるが、図１３に示すように、各室内ユニット２０ａ〜２０ｃを示す機器用アイコンｉｃ１，ｉｃ２，ｉｃ３が配置された空間レイアウト画面ｓｃ１が表示される。図９の“デマンドオンアイコン”と呼ばれる絵柄（図１３のｐ１）は、室内ユニット２０ａ〜２０ｃのうちデマンド制御中である室内ユニット２０ａ〜２０ｃがあれば、その室内ユニット２０ａ〜２０ｃを示す機器用アイコンｉｃ１〜ｉｃ３の右下に付加されることで、機器用アイコンｉｃ１〜ｉｃ３の少なくとも一部分に重ねて表示される。つまり、デマンドオンアイコンｐ１は、室内ユニット２０ａ〜２０ｃのうち、デマンド制御中であるか否かを示すオン／オフ情報（つまり、機器データベース４５の「デマンド制御ｏｎ／ｏｆｆ」フィールドの情報）を構成する要素だと言える。また、図９の“デマンド制御開始アイコン”と呼ばれる絵柄（図１５のｐ４）は、室内ユニット２０ａ〜２０ｃのうち少なくとも１台においてデマンド制御が開始された場合、その旨を管理者に知らせるべく、図１５に示すように、タッチパネル４３の右下部分に表示される。
【００９０】
（３−４）制御部
制御部５０は、ＲＯＭ、ＲＡＭ及びＣＰＵ等の電気部品の組み合わせによって構成されたマイクロコンピュータである。ＣＰＵがＲＯＭ内に記憶された各種プログラムを読み出して実行し、ＲＡＭがワークメモリとして用いられることで、制御部５０は、集中管理コントローラ４０の様々な機能（例えば、画面表示制御や、空調設備１０のデマンド制御等）を実現することができる。
【００９１】
具体的に、制御部５０は、図４に示すように、空調側通信部４１、ネットワーク側通信部４２、タッチパネル４３、及び記憶部４４と接続されている。制御部５０は、各通信部４１，４２の通信制御、記憶部４４に記憶されている各種データベース４５〜４９の管理、タッチパネル４３の画面制御等を行う。このような動作を行うため、制御部５０は、データ収集部５１、運転制御部５２、デマンド制御部５３及び画面生成部５４として機能する。
【００９２】
（３−４−１）データ収集部
データ収集部５１は、室外制御部３６及び室内制御部２５から、室外ユニット３０及び室内ユニット２０ａ〜２０ｃそれぞれの機器データを、所定の時間間隔で収集する。そして、データ収集部５１は、収集した機器データを、機器データベース４５の各フィールドに格納していく。
【００９３】
即ち、データ収集部５１は、図５に示す機器データベース４５の更新を行う。
【００９４】
（３−４−２）運転制御部
運転制御部５２は、室外制御部３６及び室内制御部２５それぞれに運転指令を送る等して、室外ユニット３０及び室内ユニット２０ａ〜２０ｃそれぞれの運転を管理及び制御する。例えば、運転制御部５２は、冷房運転または暖房運転の開始指示の出力、運転停止指示の出力、各室内ユニット２０ａ〜２０ｃの設定温度の出力等を、空調側通信部４１に行わせる。
【００９５】
（３−４−３）デマンド制御部
デマンド制御部５３は、室内ユニット２０ａ〜２０ｃそれぞれに対してデマンド制御を行う。
【００９６】
ここで、デマンド制御部５３が行うデマンド制御動作について、図１０，１１を用いて説明する。先ず、デマンド制御部５３は、各室内ユニット２０ａ〜２０ｃの機器データから室内ユニット２０ａ〜２０ｃそれぞれの消費電力を抽出し、室内ユニット２０ａ〜２０ｃ毎に積算していく。即ち、デマンド制御部５３は、図５の機器データベース４５の「消費電力」フィールドを、当該データベース４５が更新される所定の時間間隔毎に抽出し、抽出した結果を積算していく。デマンド制御部５３は、各室内ユニット２０ａ〜２０ｃの、現時点までに積算した消費電力の単位時間あたりの増加度合いを求め（図１０，１１の実線部分）、当該増加度合いに応じて３０分後に到達するであろう消費電力を予測する（図１０，１１の点線部分）。そして、デマンド制御部５３は、予測した消費電力を、予め定められている個々の室内ユニット２０ａ〜２０ｃの目標消費電力、つまりは消費が許容されている電力の上限値と比較する。
【００９７】
図１０に示すように、予測した消費電力（点線部分）が目標消費電力を下回る場合には、デマンド制御部５３は、その室内ユニット２０ａ〜２０ｃについてはデマンド制御が不要であると判断する。
【００９８】
しかし、図１１に示すように、予測した消費電力（点線部分）が目標消費電力を上回る場合には、デマンド制御部５３は、その室内ユニット２０ａ〜２０ｃについてはデマンド制御が必要であると判断する。この場合、デマンド制御部５３は、求めた増加度合い（図１１の実線部分）と予測した消費電力（図１１の点線部分）とを用いて、その室内ユニット２０ａ〜２０ｃの消費電力を抑制するための抑制レベルを決定する。即ち、デマンド制御部５３は、図６のデマンド制御データベース４６の「抑制レベル」フィールドに格納されたレベル１〜８のうち、どのレベルを選択するかを決定する。具体的には、求めた増加度合いの大きさが大きく、且つ予測した消費電力と目標消費電力との差が大きい程、デマンド制御部５３は、比較的大きい抑制レベル（例えば、図６のレベル５以上）を選択する。逆に、求めた増加度合いの大きさが小さく、且つ予測した消費電力と目標消費電力との差が小さい程、デマンド制御部５３は、比較的小さい抑制レベル（例えば、図６のレベル４以下）を選択する。
【００９９】
抑制レベルを選択した後、デマンド制御部５３は、選択した抑制レベルを、図６のデマンド制御データベース４６に当てはめて、制御内容を決定する。例えば、抑制レベル“レベル６”が選択された場合、制御内容は、設定温度を６℃シフトする内容に決定される。そして、デマンド制御部５３は、該当する室内ユニット２０ａ〜２０ｃの設定温度を、決定した制御内容に基づいてシフトする。
【０１００】
特に、該当する室内ユニット２０ａ〜２０ｃが冷房運転を行っている場合、デマンド制御部５３は、抑制レベルに応じて、該当する室内ユニット２０ａ〜２０ｃの設定温度を高温側へとシフトする。逆に、該当する室内ユニット２０ａ〜２０ｃが暖房運転を行っている場合、デマンド制御部５３は、抑制レベルに応じて、該当する室内ユニット２０ａ〜２０ｃの設定温度を低温側へとシフトする。これにより、設定温度が変更された室内ユニット２０ａ〜２０ｃは、その分電力を消費せずに済む。
【０１０１】
（３−４−４）画面生成部
画面生成部５４は、タッチパネル４３に表示される各種画面を生成する。
【０１０２】
−空間レイアウト画面−
特に、画面生成部５４は、管理者によって各室内ユニット２０ａ〜２０ｃの制御及び管理が容易に行われるための画面として、先ずは、図１２に示す対象空間の空間レイアウト画面ｓｃ１を生成する。
【０１０３】
具体的には、画面生成部５４は、記憶部４４内の見取り図データベース４７から、対象空間の見取り図Ｌ１（具体的には、建物ＲＡの見取り図Ｌ１１、または表示させようとしている単位空間の見取り図Ｌ１２）を読み出す。画面生成部５４は、記憶部４４内の位置情報データベース４８から、当該対象空間内に設置されている室内ユニット２０ａ〜２０ｃの座標情報（具体的には、「座標」フィールドの情報）を読み出す。そして、画面生成部５４は、読み出した見取り図Ｌ１上に、読み出した座標情報に従って、室内ユニット２０ａ〜２０ｃを示すアイコンである機器用アイコンｉｃ１〜ｉｃ３を配置する。これにより、図１２に示される空間レイアウト画面ｓｃ１が生成される。
【０１０４】
−合成画面−
更に、本実施形態に係る画面生成部５４は、一旦作成した空間レイアウト画面ｓｃ１上に、上述した図５に係るデマンド制御関連情報４５ａを合成することで、図１３に示す合成画面ｓｃ２を生成する。
【０１０５】
具体的には、画面生成部５４は、記憶部４４内の機器データベース４５から、対象空間に設置されている室内ユニット２０ａ〜２０ｃの「デマンド制御ｏｎ／ｏｆｆ」フィールドが“オン”か“オフ”かを確認する。「デマンド制御ｏｎ／ｏｆｆ」フィールドが“オン”である室内ユニット２０ａ〜２０ｃがある場合、画面生成部５４は、表示パーツデータベース４９から、「パーツ名称」フィールドが“デマンドオンアイコン”であるレコード上の「パーツ」フィールドに格納されている絵柄を取り出す。そして、画面生成部５４は、図１３に示すように、取り出した絵柄であるデマンドオンアイコンｐ１を、空間レイアウト画面ｓｃ１上の、「デマンド制御ｏｎ／ｏｆｆ」フィールドが“オン”である室内ユニット２０ａ〜２０ｃの機器用アイコンｉｃ２の右下に、当該アイコンｉｃ２上に重なるようにして配置する。更に、画面生成部５４は、機器データベース４５から、対象となる室内ユニット２０ａ〜２０ｃの「設定温度」フィールドの情報、及び当該室内ユニット２０ａ〜２０ｃの「運転の種類」フィールドの情報を読み出す。画面生成部５４は、図１３に示すように、読み出したこれらの情報ｐ２，ｐ３を、空間レイアウト画面ｓｃ１内の対応する機器用アイコンｉｃ１，ｉｃ２の横に配置する。この動作によって、図１３に示される合成画面ｓｃ２が生成される。画面生成部５４は、作成した合成画面ｓｃ２のデータを、タッチパネル４３に出力する。
【０１０６】
即ち、図１３の合成画面ｓｃ２では、デマンド制御関連情報４５ａに含まれるオン／オフ情報が、デマンド制御中であることを示すデマンドオンアイコンｐ１によって構成されている。そして、合成画面ｓｃ２では、デマンド制御関連情報４５ａに含まれる室内ユニット２０ａ〜２０ｃの設定温度等の情報ｐ２，ｐ３が、機器用アイコンｉｃ１〜ｉｃ３付近に配置されている。
【０１０７】
図１３の合成画面ｓｃ２がタッチパネル４３に表示されることにより、管理者は、管理対象である建物ＲＡ内、特に室内ユニット２０ａ〜２０ｃの空調対象空間内がどのようなレイアウトであるのかを把握することができる。特に、管理者は、合成画面ｓｃ２上のデマンドオンアイコンｐ１により、その対象空間内に設置されている室内ユニット２０ａ〜２０ｃが現在デマンド制御中であるのか否かを、当該合成画面ｓｃ２を一目見ただけで把握することができる。
【０１０８】
なお、「（３−４−３）デマンド制御部」にて説明したように、デマンド制御中は、設定温度が適宜変更されることがある。これに伴い、機器データベース４５内の「設定温度」フィールドの情報は、適宜変更される。従って、画面生成部５４は、機器データベース４５内の各種情報に変更が生じた場合には、変更後の内容を合成画面ｓｃ２に反映させる。即ち、デマンド制御によって室内ユニット２０ａ〜２０ｃの設定温度が変更した場合、画面生成部５４は、合成画面ｓｃ２上の情報ｐ２，ｐ３を、適宜更新する。
【０１０９】
これにより、管理者は、既に把握済みの通常時の設定温度（具体的には、デマンド制御が行われていない時の設定温度）と、合成画面ｓｃ２上の情報ｐ２，ｐ３（具体的には、設定温度の情報）との差から、デマンド制御がどの程度行われているのかも、把握することができる。
【０１１０】
また、画面生成部５４は、図１３の合成画面ｓｃ２の右横に、操作ウィンドウバーｂ１を選択可能にタッチパネル４３に表示させる。操作ウィンドウバーｂ１が選択された場合、画面生成部５４は、図１４に示すように、合成画面ｓｃ２上の室内ユニット２０ａ〜２０ｃの詳細情報が記された小画面ｓｃ３を、タッチパネル４３に表示させることも可能である。ここで、小画面ｓｃ３に表示される内容としては、合成画面ｓｃ２に表示されている室内ユニット２０ａ〜２０ｃの運転状態、設定温度、設定されている風量等が挙げられる。
【０１１１】
−合成画面等の表示位置及びデマンド制御開始アイコン−
次に、上述した合成画面ｓｃ２が、タッチパネル４３上のどこに配置されるかについて説明する。タッチパネル４３は、図１３に示すように、主として太線で囲まれた２つの表示領域で構成されている。２つの表示領域のうち、１つは、比較的広い領域である第１表示領域ｒｅ１であって、もう１つは、第１表示領域ｒｅ１の下に位置している細長く狭い第２表示領域ｒｅ２である。第１表示領域ｒｅ１は、空間レイアウト画面ｓｃ１とデマンド制御関連情報４５ａとの合成画面ｓｃ２が表示される領域である。第２表示領域ｒｅ２は、第１表示領域ｒｅ１とは別の領域であって、第１表示領域ｒｅ１に表示する画面を他の画面へと遷移させるための各種タグ等が常時表示される他、室内ユニット２０ａ〜２０ｃに関する情報を表示することのできる領域である。
【０１１２】
第２表示領域ｒｅ２に表示される室内ユニット２０ａ〜２０ｃに関する情報としては、建物ＲＡに設置されている全ての室内ユニット２０ａ〜２０ｃのうちの少なくとも１つが故障した場合、その旨を知らせる情報が挙げられる。特に、本実施形態では、図１５に示すように、第２表示領域ｒｅ２に表示される室内ユニット２０ａ〜２０ｃに関する情報には、「（３−３−５）表示パーツデータベース」でも述べた表示パーツデータベース４９内の“デマンド制御開始アイコン”の絵柄ｐ４（以下、デマンド制御開始アイコンｐ４と呼称する）が含まれる。これは、デマンド制御が開始された室内ユニット２０ａ〜２０ｃの機器用アイコンｉｃ１〜ｉｃ３を含む合成画面ｓｃ２が第１表示領域ｒｅ１に表示されているのではなく、他の画面が第１表示領域ｒｅ１に表示されていたとしても、デマンド制御が開始された室内ユニット２０ａ〜２０ｃが存在する旨を、デマンド制御開始アイコンｐ４を用いていち早く管理者に知らせるためである。
【０１１３】
つまり、図１３がタッチパネル４３に表示されている状態から、図１５をタッチパネル４３に表示させるための操作を管理者が行った場合、タッチパネル４３の第１表示領域ｒｅ１に表示される画面は、図１３から図１５へと変化する。図１３では、建物ＲＡにおける３階のフロアの合成画面ｓｃ２が第１表示領域ｒｅ１に表示されていたものの、図１５では、３階のフロアとは異なる対象空間である６階のフロアの合成画面ｓｃ４が、第１表示領域ｒｅ１に表示されている。このように、別の画面を表示させるための操作が行われた場合、第１表示領域ｒｅ１上の画面は変化しているが、第２表示領域ｒｅ２上の画面は、あまり変化しない。そこで、本実施形態に係る画面生成部５４は、第１表示領域ｒｅ１にどのような画面が表示されていたとしても、管理対象である建物ＲＡ内の全室内ユニット２０ａ〜２０ｃにおいて１台でもデマンド制御が開始されたものがあれば、図９の表示パーツデータベース４９からデマンド制御が開始されたことを示す絵柄、即ちデマンド制御開始アイコンｐ４を取り出し、これを第２表示領域ｒｅ２に表示させる。つまり、本実施形態に係る第２表示領域ｒｅ２には、第１表示領域ｒｅ１に現在表示されている合成画面ｓｃ４（図１５）が示す６階のフロアには設置されていないが、当該フロア以外に設置された他の室内ユニット２０ａ〜２０ｃに対してデマンド制御が開始された際には、その旨を示すデマンド制御開始アイコンｐ４が表示されることとなる。
【０１１４】
そして、本実施形態に係る画面生成部５４は、図１５のデマンド制御開始アイコンｐ４を、選択可能に表示させる。デマンド制御開始アイコンｐ４が選択された場合、画面生成部５４は、図１６に示すように、どの室内ユニット２０ａ〜２０ｃにおいてデマンド制御が開始されたかを通知するためのメッセージウィンドウｐ５を生成し、これを第１表示領域ｒｅ１にポップアップ表示させる。更に、メッセージウィンドウｐ５には、デマンド制御が開始された室内ユニット２０ａ〜２０ｃの名称及び識別番号が、選択可能に表示されている。メッセージウィンドウｐ５上の室内ユニット２０ａ〜２０ｃの名称及び識別番号のいずれかが管理者によって選択された場合、画面生成部５４は、選択された室内ユニット２０ａ〜２０ｃの詳細な情報（室内温度、設定温度、消費電力等）を、更に第１表示領域ｒｅ１上に表示させる。なお、画面生成部５４は、詳細な情報の表示に代えて、選択された室内ユニット２０ａ〜２０ｃの機器用アイコンｉｃ１〜ｉｃ３を含む合成画面ｓｃ２を、第１表示領域ｒｅ１に表示させてもよい。
【０１１５】
また、本実施形態に係る第１表示領域ｒｅ１には、上述した合成画面ｓｃ２，ｓｃ４に代えて、様々な画面が表示されることが可能となっている。第１表示領域ｒｅ１に表示される画面としては、合成画面ｓｃ２，ｓｃ４の他、リスト画面及びアイコン画面（いずれも図示せず）等が挙げられる。リスト画面とは、個々の合成画面ｓｃ２，ｓｃ４に表示される各室内ユニット２０ａ〜２０ｃの名称、運転状態、運転種類及び室温等の情報が、一画面上にリスト表示される画面である。アイコン画面とは、合成画面ｓｃ２，ｓｃ４等にて用いられる各種アイコンを一覧表示しつつ、各アイコンの内容の説明を付加した画面である。合成画面ｓｃ２，ｓｃ４、リスト画面及びアイコン画面は、いわば、室内ユニット２０ａ〜２０ｃの監視用画面と定義することができる。
【０１１６】
更に、本実施形態に係る第１表示領域ｒｅ１には、図１７に一例として示すように、合成画面ｓｃ２，ｓｃ４等である室内ユニット２０ａ〜２０ｃの監視用画面に代えて、室内ユニット２０ａ〜２０ｃが自動制御されるための設定画面ｓｃ５が表示されることもできる。図１７の設定画面ｓｃ５では、各室内ユニット２０ａ〜２０ｃの設定温度制御等を自動制御とするか否かや、自動制御とするのであればどのようなスケジュールで行うのか等を、建物ＲＡの管理者が自由に選択できるようになっている。従って、設定画面ｓｃ５は、室内ユニット２０ａ〜２０ｃの監視用画面とは別の画面の種類であると言える。
【０１１７】
このように、第１表示領域ｒｅ１には、様々な画面が表示可能となっているが、図１５〜１７に示すように、第１表示領域ｒｅ１に表示される画面の種類に関係なく、第２表示領域ｒｅ２には、デマンド制御開始アイコンｐ４が常に表示可能となっている。つまり、たとえ合成画面ｓｃ２，ｓｃ４以外の監視用画面であるリスト画面及びアイコン画面のいずれかが第１表示領域ｒｅ１に表示されているとしても、建物ＲＡ内の室内ユニット２０ａ〜２０ｃの少なくとも１つにおいてデマンド制御が開始された場合には、その旨を示すデマンド制御開始アイコンｐ４が、第２表示領域ｒｅ２に表示される。特に、監視用画面ではない設定画面ｓｃ５が第１表示領域ｒｅ１に表示されているとしても、建物ＲＡ内の室内ユニット２０ａ〜２０ｃの少なくとも１つにおいてデマンド制御が開始された場合には、図１７に示すように、デマンド制御開始アイコンｐ４が第２表示領域ｒｅ２に表示される。これにより、管理者は、どのような画面を第１表示領域ｒｅ１に表示させているとしても、デマンド制御が開始された室内ユニット２０ａ〜２０ｃの存在を、第２表示領域ｒｅ２上のデマンド制御開始アイコンｐ４によって把握することができる。
【０１１８】
（４）動作
（４−１）集中管理コントローラに合成画面等が表示される場合
図１８は、本実施形態に係る集中管理コントローラ４０が室内ユニット２０ａ〜２０ｃとの間で行う動作の流れを説明するための図である。特に、図１８は、一例として、集中管理コントローラ４０に合成画面ｓｃ２及びデマンド制御開始アイコンｐ４が表示される場合を表している。
【０１１９】
先ず、集中管理コントローラ４０が既に起動しているとする。
【０１２０】
集中管理コントローラ４０は、室内ユニット２０ａ〜２０ｃとの間で接続状態を確認した後（＃１，＃２）、所定の時間間隔毎に室内ユニット２０ａ〜２０ｃから機器データを収集する動作を開始する（＃３，＃４）。
【０１２１】
管理者から合成画面ｓｃ２の表示要求があった場合、集中管理コントローラ４０の画面生成部５４は、先ずは空間レイアウト画面ｓｃ１を生成し、これにデマンド制御関連情報４５ａを合成することで、合成画面ｓｃ２のデータを生成する。タッチパネル４３は、図１３に示すような合成画面ｓｃ２を表示する（＃５）。なお、この時点で、デマンド制御中の室内ユニット２０ａ〜２０ｃがない場合には、図１３からデマンドオンアイコンｐ１が表示されていない画面が、表示されることとなる。
【０１２２】
また、集中管理コントローラ４０のデマンド制御部５３は、室内ユニット２０ａ〜２０ｃの消費電力をユニット２０ａ〜２０ｃ毎に積算していき、その積算結果等を用いて、３０分を一単位とした際に個々の室内ユニット２０ａ〜２０ｃが消費するであろう電力の合計値を予測する（＃６）。デマンド制御部５３は、予測結果を用いて、室内ユニット２０ａ〜２０ｃのデマンド制御の開始の要否を決定する。そして、デマンド制御部５３は、決定した内容に基づき、各室内ユニット２０ａ〜２ｃの設定温度の変更等を含むデマンド制御を開始したり、逆にデマンド制御を停止したりする（＃７）。更に、デマンド制御部５３は、決定した内容に基づき、記憶部４４内の機器データベース４５の更新を行う（＃８）。
【０１２３】
画面生成部５４は、決定した内容に基づき、合成画面ｓｃ２上のデマンド制御関連情報４５ａを更新して新たな合成画面ｓｃ２を生成し、現在のタッチパネル４３の第１表示領域ｒｅ１に表示されている合成画面を、新たな合成画面ｓｃ２に置き換える。もしくは、現在タッチパネル４３が表示している画面が、今回デマンド制御が開始された室内ユニット２０ａ〜２０ｃが表示されていない画面である場合には、画面生成部５４は、第２表示領域ｒｅ２上に、デマンド制御開始アイコンｐ４を選択可能に表示させる（＃９）。この状態で、当該アイコンｐ４が選択された場合には、画面生成部５４は、第１表示領域ｒｅ１上に、図１６に示すメッセージウィンドウｐ５を表示させる（＃１０）。
【０１２４】
以後、集中管理コントローラ４０は、室内ユニット２０ａ〜２０ｃからの機器データの収集動作、及びステップ＃６〜＃１０の動作を繰り返す。
【０１２５】
（４−２）外部端末に合成画面等が表示される場合
図１９は、集中管理コントローラ４０ではなく、外部端末９０ａ，９０ｂに合成画面ｓｃ２及びデマンド制御開始アイコンｐ４が表示される場合の、集中管理コントローラ４０と外部端末９０ａ，９０ｂとの間の動作の流れを一例として表している。
【０１２６】
先ず、外部端末９０ａ，９０ｂの利用者は、外部端末９０ａ，９０ｂの入力部９２ａ，９２ｂを操作して、外部端末９０ａ，９０ｂ上にウェブブラウザを立ち上げる。そして、利用者は、このウェブブラウザ上で集中管理コントローラ４０のＵＲＬを指定して、集中管理コントローラ４０にアクセスする（＃２１）。集中管理コントローラ４０は、これを受けて（＃２２）、アクセス元の外部端末９０ａ，９０ｂのウェブブラウザにログイン画面を送る（＃２３）。ログイン画面は、集中管理コントローラ４０に対する操作権限を確認するためのＩＤ及びパスワードの入力を、利用者に求める画面であって、外部端末９０ａ，９０ｂの表示部９１ａ，９１ｂ上に表示される（＃２４）。
【０１２７】
ＩＤ及びパスワードの発行の際、当該ＩＤ及びパスワードは、操作権限の内容と対応付けた状態にて、集中管理コントローラ４０の記憶部４４内に記憶される。なお、操作権限とは、外部端末９０ａ，９０ｂを介してどの程度まで集中管理コントローラ４０を遠隔制御できるのか等を表すものである。例えば、建物ＲＡの管理者用のＩＤ及びパスワードであれば、建物ＲＡ内に設置されている全ての室内ユニット２０ａ〜２０ｃの管理を許可する権限が、操作権限として付与される。また、操作権限は、建物ＲＡ内の一部のフロアに設置されている室内ユニット２０ａ〜２０ｃのみの管理を許可する権限であってもよい。更に、操作権限は、室内ユニット２０ａ〜２０ｃの設定温度の変更は許可しない権限であったり、任意の時刻以降のみ室内ユニット２０ａ〜２０ｃの停止及び起動の許可が可能な権限であったりすることもできる。
【０１２８】
利用者が表示部９１ａ，９１ｂ上に表示されたログイン画面を介してＩＤ及びパスワードを入力すると（＃２５）、入力されたＩＤ及びパスワードは集中管理コントローラ４０へと送られる。集中管理コントローラ４０の制御部５０は、送られてきたＩＤ及びパスワードに対応する操作権限を特定し（＃２６）、特定した操作権限に応じた初期画面を作成する。初期画面のデータは、外部端末９０ａ，９０ｂに送られ（＃２７）、ウェブブラウザを介して外部端末９０ａ，９０ｂの表示部９１ａ，９１ｂ上に表示される（＃２８）。
【０１２９】
なお、初期画面は、特定された操作権限に応じた画面であってもよいし、建物ＲＡ内の各フロアの合成画面ｓｃ２に遷移するためのリンクが設けられた画面であってもよい。例えば、初期画面が操作権限に応じた画面である場合、アクセスした外部端末９０ａ，９０ｂの利用者が管理可能なフロアの合成画面ｓｃ２であることができる。初期画面が、各フロアの合成画面ｓｃ２に遷移するためのリンクが設けられた画面である場合には、外部端末９０ａ，９０ｂの利用者は、確認したいフロアに対応するリンクを選択することにより、そのフロアの合成画面ｓｃ２を外部端末９０ａ，９０ｂの表示部９１ａ，９１ｂに表示させることができる。つまり、リンクが選択された際、その旨が集中管理コントローラ４０に送られる。集中管理コントローラ４０の画面生成部５４は、選択されたリンクに対応するフロアの空間レイアウト画面ｓｃ１に、デマンド制御関連情報４５ａが付加された図１３の合成画面ｓｃ２を生成し、当該合成画面ｓｃ２のデータを外部端末９０ａ，９０ｂに送信する。
【０１３０】
なお、集中管理コントローラ４０は、外部端末９０ａ，９０ｂとの通信を行っている間においても、各室内ユニット２０ａ〜２０ｃからの機器データの収集及び管理を、少なくとも行っているものとする。そして、集中管理コントローラ４０は、図１８のステップ＃６〜＃９と同様、消費電力予測、デマンド制御、機器データベース４５の更新、合成画面ｓｃ２の更新を行うものとする（＃２９，＃３０）。合成画面ｓｃ２の更新が行われた場合、外部端末９０ａ，９０ｂ側には、新たな合成画面ｓｃ２のデータが集中管理コントローラ４０から送られてくる。この場合、集中管理コントローラ４０は、新たに送られていた合成画面ｓｃ２を表示部９１ａ，９１ｂ上に表示する（＃３１）。
【０１３１】
その他、図１９にて図示はしていないが、集中管理コントローラ４０から、デマンド制御開始アイコンｐ４の表示指示が送られてきた場合、外部端末９０ａ，９０ｂは、図１５に示すように、第２表示領域ｒｅ２上にデマンド制御開始アイコンｐ４を選択可能に表示する。利用者がデマンド制御開始アイコンｐ４を選択した場合、その旨が集中管理コントローラ４０に送られる。集中管理コントローラ４０は、図１６に示すメッセージウィンドウｐ５のデータを生成して外部端末９０ａ，９０ｂに送信する。外部端末９０ａ，９０ｂ側でも、図１６と同様、第１表示領域ｒｅ１上に、メッセージウィンドウｐ５が表示されるようになる。
【０１３２】
以後、外部端末９０ａ，９０ｂ及び集中管理コントローラ４０は、室内ユニット２０ａ〜２０ｃからの機器データの収集動作、及びステップ＃２７以降の動作を繰り返す。
【０１３３】
なお、図１９にて図示はしていないが、外部端末９０ａ，９０ｂは、任意の室内ユニット２０ａ〜２０ｃのこれまでの機器データ及び集中管理コントローラ４０のこれまでの制御内容を、履歴データとして、集中管理コントローラ４０に送信要求することができる。この場合、集中管理コントローラ４０は、該当する室内ユニット２０ａ〜２０ｃに関する履歴データを、例えばＣＳＶファイ形式にて外部端末９０ａ，９０ｂに送信する。履歴データがＣＳＶファイル形式であることから、外部端末９０ａ，９０ｂは、履歴データの加工を比較的自由に行うことができる。従って、外部端末９０ａ，９０ｂの利用者は、履歴データの管理を効率よく行うことができる。
【０１３４】
（５）特徴
（５−１）
上記実施形態に係る集中管理コントローラ４０のタッチパネル４３上には、図１３に示すように、合成画面ｓｃ２が表示される。合成画面ｓｃ２は、対象空間の見取り図Ｌ１上に機器用アイコンｉｃ１〜ｉｃ３が配置された空間レイアウト画面ｓｃ１と、室内ユニット２０ａ〜２０ｃに対してデマンド制御が行われているか否かを示すデマンド制御関連情報４５ａとの、合成画面である。この合成画面ｓｃ２を確認することにより、管理者は、どの室内ユニット２０ａ〜２０ｃにおいてデマンド制御が行われているのかを、合成画面ｓｃ２上から容易に把握することができる。
【０１３５】
（５−２）
更に、上記実施形態に係る集中管理コントローラ４０では、建物ＲＡ内に設置されている室内ユニット２０ａ〜２０ｃのうち少なくとも１つにおいてデマンド制御が開始された場合、図１５に示すように、上記合成画面ｓｃ２が表示される第１表示領域ｒｅ１とは別の第２表示領域ｒｅ２に、少なくとも１つの室内ユニット２０ａ〜２０ｃにおいてデマンド制御が行われた旨を示すデマンド制御開始アイコンｐ４が表示される。これにより、仮に、デマンド制御が開始された室内ユニット２０ａ〜２０ｃの機器用アイコンｉｃ１〜ｉｃ３が表示されていない画面が第１表示領域ｒｅ１に表示されていたとしても、管理者は、第２表示領域ｒｅ２に表示されたデマンド制御開始アイコンｐ４から、建物ＲＡ内に設置されている少なくとも１つの室内ユニット２０ａ〜２０ｃにおいてデマンド制御が開始されたことを把握することができる。
【０１３６】
（５−３）
集中管理コントローラ４０のタッチパネル４３の第２表示領域ｒｅ２には、第１表示領域ｒｅ１に現在表示されている合成画面ｓｃ２，ｓｃ４が示す対象空間以外に設置された他の室内ユニット２０ａ〜２０ｃに対してデマンド制御が開始された際には、その旨を示すデマンド制御開始アイコンｐ４が表示される。具体的には、図１５に示すように、６階フロアの合成画面ｓｃ４が現在の第１表示領域ｒｅ１に表示されているとする。この状態で、別のフロア（例えば、３階のフロア）に設置されている室内ユニット２０ａ〜２０ｃの少なくとも１台にてデマンド制御が開始された場合、第２表示領域ｒｅ２には、第１表示領域ｒｅ１に表示中のフロアとは別のフロアにおいてデマンド制御が開始された室内ユニット２０ａ〜２０ｃの存在を示すデマンド制御開始アイコンｐ４が表示される。これにより、管理者は、第１表示領域ｒｅ１に現在表示中の対象空間以外の空間における室内ユニット２０ａ〜２０ｃのデマンド制御状態をも、第２表示領域ｒｅ２から把握することができる。即ち、管理者は、第１表示領域ｒｅ１に表示させる合成画面ｓｃ２，ｓｃ４を頻繁に変化させることで、管理対象である建物ＲＡ内の室内ユニット２０ａ〜２０ｃ全てのデマンド制御の状況を監視せずとも良く、第２表示領域ｒｅ２にデマンド制御開始アイコンｐ４が表示されるか否かさえを監視すればよい。従って、管理者の利便性が向上する。
【０１３７】
（５−４）
また、集中管理コントローラ４０のタッチパネル４３の第１表示領域ｒｅ１には、図１７に示すように、合成画面ｓｃ２，ｓｃ４に代えて設定画面ｓｃ５が表示されることもできる。一方で、第１表示領域ｒｅ１にどのような画面が表示されようとも、管理対象である建物ＲＡ内の室内ユニット２０ａ〜２０ｃの少なくとも１台にてデマンド制御が開始されれば、第２表示領域ｒｅ２には、デマンド制御開始アイコンｐ４が表示される。従って、管理者は、例えば設定画面ｓｃ５を介して室内ユニット２０ａ〜２０ｃの自動制御の設定作業を行っている時であっても、デマンド制御が開始された室内ユニット２０ａ〜２０ｃの存在を、第２表示領域ｒｅ２から把握することができる。
【０１３８】
（５−５）
本実施形態に係るデマンド制御関連情報４５ａには、図５に示すように、デマンド制御中であるか否かを示すオン／オフ情報（具体的には、図５の「デマンド制御ｏｎ／ｏｆｆ」フィールドに格納されている情報）と、デマンド制御中における室内ユニット２０ａ〜２０ｃの設定温度の情報（具体的には、図５の「設定温度」フィールドに格納されている情報）と、が含まれている。これにより、管理者は、合成画面ｓｃ２上のデマンド制御関連情報４５ａから、室内ユニット２０ａ〜２０ｃがデマンド制御中か否かと、その室内ユニット２０ａ〜２０ｃの設定温度がデマンド制御によって変更されているのか否かを、把握することができる。
【０１３９】
（５−６）
また、上記オン／オフ情報は、図１３に示すように、デマンド制御中であることを示すデマンドオンアイコンｐ１にて構成されている。デマンドオンアイコンｐ１は、機器用アイコンｉｃ１〜ｉｃ３の少なくとも一部分に重ねて表示される。室内ユニット２０ａ〜２０ｃの設定温度の情報ｐ２，ｐ３は、機器用アイコンｉｃ１〜ｉｃ３付近に配置される。これにより、管理者は、機器用アイコンｉｃ１〜ｉｃ３を視覚的に確認することによって、デマンドオンアイコンｐ１及び室内ユニット２０ａ〜２０ｃの設定温度の情報ｐ２，ｐ３も、視覚的に確認することができる。従って、管理者は、どの室内ユニット２０ａ〜２０ｃにおいてデマンド制御が行われているのかを、合成画面ｓｃ２上から、一目で把握することができる。
【０１４０】
（５−７）
また、本実施形態に係る集中管理コントローラ４０は、ネットワーク側通信部４２を備えている。ネットワーク側通信部４２は、通信ネットワーク８０を介して外部端末９０ａ，９０ｂと通信可能に接続されており、合成画面ｓｃ２のデータを、外部端末９０ａ，９０ｂに送信可能である。これにより、外部端末９０ａ，９０ｂの利用者は、外部端末９０ａ，９０ｂを用いて集中管理コントローラ４０にアクセスすることで、デマンド制御関連情報４５ａと空間レイアウト画面ｓｃ１との合成画面ｓｃ２を外部端末９０ａ，９０ｂから確認することができる。従って、どの室内ユニット２０ａ〜２０ｃにおいてデマンド制御が行われているのかを、集中管理コントローラ４０ではなく外部端末９０ａ，９０ｂからも容易に把握することができる。
【０１４１】
（６）変形例
（６−１）変形例Ａ
上記実施形態に係る合成画面ｓｃ２では、図１３に示すように、機器用アイコンｉｃ１〜ｉｃ３の横に、デマンド制御関連情報４５ａに含まれる設定温度の情報ｐ２，ｐ３が表示されている。しかしながら、図１３では、たとえ管理者であっても、デマンド制御が詳細にどの程度行われているかまでは、一目で把握することは困難と言える。
【０１４２】
そこで、図１３において、機器用アイコンｉｃ１〜ｉｃ３の色を、デマンド制御が行われているレベル（すなわち、設定温度のシフト度合い。具体的には抑制レベル）に応じて変化させてもよい。例えば、設定温度のシフト度合いが大きくなる程、機器用アイコンｉｃ１〜ｉｃ３の色が、青色から黄色、黄色から赤色へと段階的に変化することが挙げられる。これにより、管理者は、図１３に示される合成画面ｓｃ２を一目見ただけで、デマンド制御がどの程度行われているのかを把握することができる。
【０１４３】
または、図１３において、デマンド制御が行われているレベルに応じて、機器用アイコンｉｃ１〜ｉｃ３の大きさ自体が変化してもよいし、機器用アイコンｉｃ１〜ｉｃ３の色の変化と機器用アイコンｉｃ１〜ｉｃ３の大きさとが共に変化してもよい。
【０１４４】
（６−２）変形例Ｂ
また、デマンド制御が行われているレベル（すなわち、設定温度のシフト度合い。具体的には抑制レベル）は、図２０に示すように、室内温度の経時的変化を示すトレンドグラフ上に表されても良い。図２０は、横軸に時間、縦軸に室内温度を採り、室内温度が時間の経過と共にどのように推移したかを示すグラフである。そして、図２０には、デマンド制御がオフであった期間、デマンド制御が抑制レベル３でなされていた期間、デマンド制御が抑制レベル６でなされていた期間が記されている。なお、図２０のトレンドグラフは、図１３などのメニューリストボタンが選択されることによって表示されるメニュー画面を経て、タッチパネル４３上に表示させることができる。
【０１４５】
これにより、管理者は、図２０のトレンドグラフ上からも、デマンド制御が行われているレベル、つまりはデマンド制御によって設定温度がどの程度シフトしたかを、容易に把握することが可能となる。
【０１４６】
（６−３）変形例Ｃ
上記実施形態では、少なくとも１台の室内ユニット２０ａ〜２０ｃにおいてデマンド制御が開始された場合、図１５，１７に示すように、その旨を示すデマンド制御開始アイコンｐ４が第２表示領域ｒｅ２に表示されると説明した。
【０１４７】
しかし、デマンド制御が開始された室内ユニット２０ａ〜２０ｃの台数が視覚的に把握可能なように、デマンド制御開始アイコンｐ４の色が、デマンド制御が開始された室内ユニット２０ａ〜２０ｃの台数に応じて変化してもよい。例えば、デマンド制御が開始された室内ユニット２０ａ〜２０ｃの台数が多い程、デマンド制御開始アイコンｐ４の色は、青色から黄色、黄色から赤色へと段階的に変化することが挙げられる。
【０１４８】
更に、第２表示領域ｒｅ２に表示されるデマンド制御開始アイコンｐ４は、対象空間毎（例えば、フロア単位）に分けて、複数表示されてもよい。例えば、３階のフロア及び６階のフロアに設置されている室内ユニット２０ａ〜２０ｃにてデマンド制御が開始された場合、３階のフロア用のデマンド制御アイコンと、６階のフロア用のデマンド制御開始アイコンとが、第２表示領域ｒｅ２に並べて表示されてもよい。また、１つの室内ユニット２０ａ〜２０ｃに対し１つのデマンド制御開始アイコンｐ４が、第２表示領域ｒｅ２に表示されてもよい。この場合、デマンド制御が開始された室内ユニット２０ａ〜２０ｃの台数に等しい数のデマンド制御開始アイコンｐ４が、第２表示領域ｒｅ２に表示されることとなる。
【０１４９】
また、デマンド制御中の室内ユニット２０ａ〜２０ｃが存在しなくなった場合、デマンド制御開始アイコンｐ４は、第２表示領域ｒｅ２から消去されてもよい。
【０１５０】
（６−４）変形例Ｄ
白黒で示される図１３上には明確に示されていないが、各室内ユニット２０ａ〜２０ｃに対応する機器用アイコンｉｃ１〜ｉｃ３には、当該室内ユニット２０ａ〜２０ｃ３０の運転状態や運転種類に見合った色彩が付されても良い。
【０１５１】
（６−５）変形例Ｅ
上記実施形態では、図１に示すように、１つの建物ＲＡ内に複数の室内ユニット２０ａ〜２０ｃが設置されている空調管理システム１００について説明した。しかし、本発明に係る空調管理システムは、複数の建物にまたがって室内ユニット２０ａ〜２０ｃが設置されている場合においても、適用可能である。
【０１５２】
（６−６）変形例Ｆ
上記実施形態では、本発明に係る表示装置が採用された集中管理コントローラ４０が、複数の室内ユニット２０ａ〜２０ｃを管理及び制御すると説明した。しかし、本発明に係る表示装置は、１台の室内ユニットを管理及び制御するコントローラにおいても、採用することができる。
【０１５３】
（６−７）変形例Ｇ
上記実施形態では、空間レイアウト画面ｓｃ１に表示される対象及びデマンド制御対象となる設備機器が、室内ユニット２０ａ〜２０ｃである場合について説明した。しかし、設備機器は、室内ユニットに限定されず、例えばヒートポンプ装置及び換気装置が含まれていても良い。
【０１５４】
（６−８）変形例Ｈ
上記実施形態では、建物ＲＡ内に設置されている室内ユニット２０ａ〜２０ｃの少なくとも１つにおいてデマンド制御が開始された場合、第２表示領域ｒｅ２にデマンド制御開始アイコンｐ４が表示されると説明した。しかし、デマンド制御開始アイコンｐ４の表示は、必須ではない。
【０１５５】
（６−９）変形例Ｉ
上記実施形態では、図５に示すように、デマンド制御関連情報４５ａが、デマンド制御されている状態か否かを示すオン／オフ情報（即ち、「デマンド制御ｏｎ／ｏｆｆ」フィールドの情報）と、各室内ユニット２０ａ〜２０ｃの設定温度の情報（即ち、「設定温度」フィールドの情報）とを含むと説明した。しかし、デマンド制御関連情報４５ａは、オン／オフ情報のみを有していても良いし、設定温度の情報のみを有していても良い。また、デマンド制御関連情報４５ａは、オン／オフ情報及び設定温度の情報に加えて、更にデマンド制御に関連する情報を含んでいてもよい。デマンド制御に関連する情報としては、例えば、デマンド制御データベース４６に含まれる「抑制レベル」「制御内容」フィールドの情報が挙げられる。
【０１５６】
（６−１０）変形例Ｊ
上記実施形態では、図１３に示すように、デマンドオンアイコンｐ１が、機器用アイコンｉｃ１〜ｉｃ３の少なくとも一部に重ねて表示されると説明した。しかし、デマンドインアイコンｐ１は、機器用アイコンｉｃ１〜ｉｃ３の少なくとも一部に重ねて表示されるのではなく、機器用アイコンｉｃ１〜ｉｃ３の周囲に表示されてもよい。
【０１５７】
また、上記実施形態では、図１３に示すように、室内ユニット２０ａ〜２０ｃの設定温度の情報ｐ２，ｐ３が、機器用アイコンｉｃ１〜ｉｃ３付近に配置されると説明した。しかし、設定温度の情報ｐ２，ｐ３は、機器用アイコンｉｃ１〜ｉｃ３に重ねるようにして表示されてもよい。
【０１５８】
（６−１１）変形例Ｋ
上記実施形態では、図１に示すように、集中管理コントローラ４０が、インターネット等である通信ネットワーク８０を介して外部端末９０ａ，９０ｂと通信可能に接続されていると説明した。しかし、集中管理コントローラ４０は、必ずしも外部端末９０ａ，９０ｂと通信可能に接続されていなくてもよい。
【０１５９】
（６−１２）変形例Ｌ
上記実施形態では、本発明に係る表示装置が、各室内ユニット２０ａ〜２０ｃを統括して制御する集中管理コントローラ４０にて採用された場合について説明した。しかし、本発明に係る表示装置は、各室内ユニット２０ａ〜２０ｃを統括して制御する機能は有していないが、図１３に係る合成画面ｓｃ２を生成して表示する機能のみを有する装置に、適用することもできる。
【符号の説明】
【０１６０】
１０  空調設備
１５  室内ユニット群
２０ａ，２０ｂ，２０ｃ  室内ユニット  （設備機器）
２１  送受信部
２２  室内ファン
２３  室内温度サーミスタ
２４  室内湿度センサ
２５  室内制御部
３０  室外ユニット
３１  圧縮機
３２  四路切換弁
３３  膨張弁
３４  室外ファン
３５  室外温度サーミスタ
３６  室外制御部
４０  集中管理コントローラ  （表示装置）
４１  空調側通信部
４２  ネットワーク側通信部  （通信インターフェース）
４３  タッチパネル  （表示部）
４４  記憶部  （記憶部）
４５  機器データベース
４５ａ  デマンド制御関連情報
４６  デマンド制御データベース
４７  見取り図データベース  （見取り図の情報）
４８  位置情報データベース  （設備機器の位置情報）
４９  表示パーツデータベース
５０  制御部
５１  データ収集部
５２  運転制御部
５３  デマンド制御部
５４  画面生成部
８０  通信ネットワーク
９０ａ，９０ｂ  外部端末
１００  空調管理システム
ＲＡ  建物
ｉｃ１〜ｉｃ３  機器用アイコン
ｐ１  デマンドオンアイコン
ｐ２，ｐ３  設定温度等を含む情報
ｐ４  デマンド制御開始アイコン
ｐ５  メッセージウィンドウ
ｓｃ１  空間レイアウト画面
ｓｃ２，ｓｃ４  合成画面
ｓｃ５  設定画面
ｒｅ１  第１表示領域
ｒｅ２  第２表示領域
Ｌ１  見取り図
【先行技術文献】
【特許文献】
【０１６１】
【特許文献１】国際公開番号ＷＯ２０１０／１４８６４０
【図１】
2014199148.tif 000003
【図２】
2014199148.tif 000004
【図３】
2014199148.tif 000005
【図４】
2014199148.tif 000006
【図５】
2014199148.tif 000007
【図６】
2014199148.tif 000008
【図７】
2014199148.tif 000009
【図８】
2014199148.tif 000010
【図９】
2014199148.tif 000011
【図１０】
2014199148.tif 000012
【図１１】
2014199148.tif 000013
【図１２】
2014199148.tif 000014
【図１３】
2014199148.tif 000015
【図１４】
2014199148.tif 000016
【図１５】
2014199148.tif 000017
【図１６】
2014199148.tif 000018
【図１７】
2014199148.tif 000019
【図１８】
2014199148.tif 000020
【図１９】
2014199148.tif 000021
【図２０】
2014199148.tif 000022